(57)【要約】【課題】  保護ケースを構成する部材を繰り返し取外しても、長期にわたり高い防水性を維持することが可能な保護ケースの防水構造を提供する。【解決手段】  レドームベース２０の周方向に延びる締結部２１に環状のパッキン５０を固定し、パッキン５０に形成され周方向に延びる第一の接触部５１をレドーム本体１０の内周面１４ｂに接触させるとともに、パッキン５０に形成され周方向に延びる第二の接触部５２をレドーム本体１０のフランジ部１３の締結面１３ｂに接触させる。【選択図】  図１
2010278736.tif 000002
【特許請求の範囲】
【請求項１】
筒状端部の内周面側に半径方向内方に膨出するフランジ部を有する第一の保護ケース部材と、前記第一の保護ケース部材の前記内周面と対向し前記フランジ部と締結される周方向に延びる締結部を有する第二の保護ケース部材とを備えた保護ケースの防水構造であって、
前記第一の保護ケース部材の前記内周面側または前記第二の保護ケース部材の前記締結部側のいずれかに周方向に延びる環状のパッキンを固定し、前記パッキンに形成され周方向に延びる第一の接触部を、前記第一の保護ケース部材の前記内周面または前記第二の保護ケース部材の前記締結部における前記第一の保護ケース部材の前記内周面と対向する外周面のいずれかに接触させるとともに、前記パッキンに形成され周方向に延びる第二の接触部を、前記第一の保護ケース部材の前記フランジ部または前記第二の保護ケース部材の前記締結部における前記フランジ部と対向する締結面のいずれかに接触させたことを特徴とする保護ケースの防水構造。
【請求項２】
筒状端部の内周面側に半径方向内方に膨出するフランジ部を有する第一の保護ケース部材と、前記第一の保護ケース部材の前記内周面と対向し前記フランジ部と締結される周方向に延びる締結部を有する第二の保護ケース部材とを備えた保護ケースに設けられる環状のパッキンであって、
前記第一の保護ケース部材の内周面側または前記第二の保護ケース部材の前記締結部側のいずれかに固定可能な固定部と、
前記第一の保護ケース部材の前記内周面または前記第二の保護ケース部材の前記締結部における前記第一の保護ケース部材の前記内周面と対向する外周面のいずれかに接触可能な周方向に延びる第一の接触部と、
前記第一の保護ケース部材の前記フランジ部または前記第二の保護ケース部材の前記締結部における前記フランジ部と対向する締結面のいずれかに接触可能な周方向に延びる第二の接触部と、
を備えたことを特徴とするパッキン。
【請求項３】
ナットを前記第一の保護ケース部材の前記フランジ部側に保持させ、ボルトが挿通可能な前記第二の保護ケース部材にボルト穴を備え、前記ボルトの頭部側に前記第二の保護ケース部材の外面と接触可能なシールワッシャを配置するとともに、前記第一の保護ケース部材の前記フランジ部の締結用穴に前記第二の保護ケース部材の前記フランジ部と対向する前記締結部の締結面および前記ナットとのいずれにも接触可能で前記ボルトが挿入可能な筒状パッキンを配置し、前記ボルトを前記第二の保護ケース部材のボルト穴と前記第一の保護ケース部材の前記締結用穴と前記筒状パッキンに挿入し、前記ボルトを前記ナットに螺合させることにより前記筒状パッキンを前記締結部の締結面と前記ナットにより軸方向から挟持したことを特徴とする、請求項１に記載の保護ケースの防水構造。
【発明の詳細な説明】
【技術分野】
【０００１】
この発明は、屋外に設置される通信機器類を雨水などから保護する保護ケースに関し、とくに保護ケース部材の接合部の防水性を高めた保護ケースの防水構造に関する。
【背景技術】
【０００２】
近年においては、インマルサット静止衛星を経由してインターネットなどの衛星通信サービスは船舶でも行われるようになっている。インマルサット静止衛星から電波を受けるためには、アンテナが必要であり、船舶のマストにはアンテナを収納するためのレドームが取付けられている。大型のアンテナを収納するレドームの場合は、レドーム本体にアンテナ点検用の点検扉を設けることができ、アンテナの定期点検は点検扉を開けて行うようにしている。レドームは屋外に配置されることから内部への雨水の浸入を防止するため、レドーム本体とレドームベースとの接合部にはパッキンが用いられている。従来から、パッキンを用いて接合部の防水性を高めるようにした筐体の構造は知られている（例えば、特許文献１、２参照。）。
【先行技術文献】
【特許文献】
【０００３】
【特許文献１】特開平６−２８８４７３号公報
【特許文献２】特開平１０−２２６５８号公報
【発明の概要】
【発明が解決しようとする課題】
【０００４】
しかし、小型のアンテナを収納するレドームの場合は、レドーム本体にアンテナ点検用の点検扉を設けるスペースを確保することができないため、点検の際はレドームベースからレドーム本体を取外す必要が生じる。そのため、点検用の扉を有しない場合は、点検のたびにレドーム本体の取り外しを繰り返すことになり、接合部の防水性能が低下するおそれがある。このような問題は、アンテナを保護するレドームに限られず、屋外に設置される通信機器類を雨水から保護する保護ケース（筐体）についても存在する。
【０００５】
そこでこの発明は、保護ケースを構成する部材を繰り返し取外しても、長期にわたり高い防水性を維持することが可能な保護ケースの防水構造を提供することを目的とする。
【課題を解決するための手段】
【０００６】
上記目的を達成するために請求項１に記載の発明は、筒状端部の内周面側に半径方向内方に膨出するフランジ部を有する第一の保護ケース部材と、前記第一の保護ケース部材の前記内周面と対向し前記フランジ部と締結される周方向に延びる締結部を有する第二の保護ケース部材とを備えた保護ケースの防水構造であって、前記第一の保護ケース部材の前記内周面側または前記第二の保護ケース部材の前記締結部側のいずれかに周方向に延びる環状のパッキンを固定し、前記パッキンに形成され周方向に延びる第一の接触部を、前記第一の保護ケース部材の前記内周面または前記第二の保護ケース部材の前記締結部における前記第一の保護ケース部材の前記内周面と対向する外周面のいずれかに接触させるとともに、前記パッキンに形成され周方向に延びる第二の接触部を、前記第一の保護ケース部材の前記フランジ部または前記第二の保護ケース部材の前記締結部における前記フランジ部と対向する締結面のいずれかに接触させたことを特徴とする。
【０００７】
この発明によれば、第一の保護ケース部材と第二の保護ケース部材との間は、周方向に延びる環状のパッキンに形成された第一の接触部と第二の接触部との２箇所でシールされ、防水性能が向上する。
【０００８】
請求項２に記載の発明は、筒状端部の内周面側に半径方向内方に膨出するフランジ部を有する第一の保護ケース部材と、前記第一の保護ケース部材の前記内周面と対向し前記フランジ部と締結される周方向に延びる締結部を有する第二の保護ケース部材とを備えた保護ケースに設けられる環状のパッキンであって、前記第一の保護ケース部材の内周面側または前記第二の保護ケース部材の前記締結部側のいずれかに固定可能な固定部と、前記第一の保護ケース部材の前記内周面または前記第二の保護ケース部材の前記締結部における前記第一の保護ケース部材の前記内周面と対向する外周面のいずれかに接触可能な周方向に延びる第一の接触部と、前記第一の保護ケース部材の前記フランジ部または前記第二の保護ケース部材の前記締結部における前記フランジ部と対向する締結面のいずれかに接触可能な周方向に延びる第二の接触部と、を備えたことを特徴とする。
【０００９】
請求項３に記載の発明は、請求項１に記載の保護ケースの防水構造において、ナットを前記第一の保護ケース部材の前記フランジ部側に保持させ、ボルトが挿通可能な前記第二の保護ケース部材のボルト穴の一部に前記ボルトと螺合可能な雌ネジ部を形成し、前記ボルトの頭部側に前記第二の保護ケース部材の外面と接触可能なシールワッシャを配置するとともに、前記第一の保護ケース部材の前記フランジ部の締結用穴に前記第二の保護ケース部材の前記フランジ部と対向する前記締結部の締結面および前記ナットとのいずれにも接触可能で前記ボルトが挿入可能な筒状パッキンを配置し、前記ボルトを前記第二の保護ケース部材のボルト穴と前記第一の保護ケース部材の前記締結用穴と前記筒状パッキンに挿入し、前記ボルトを前記ナットに螺合させることにより前記筒状パッキンを前記締結部の締結面と前記ナットにより軸方向から挟持したことを特徴とする。
【発明の効果】
【００１０】
請求項１および２に記載の発明によれば、第一の保護ケース部材と第二の保護ケース部材との間は、パッキンに形成された第一の接触部と第二の接触部とにより２箇所でシールされることになるので、第二の保護ケース部材に対する第一の保護ケース部材の取外しを繰り返し行っても、保護ケース内への雨水などの浸入を確実に防止することができ、長期間にわたり高い防水性を得ることができる。
【００１１】
請求項３に記載の発明によれば、ボルトとナットを螺合させることにより、ボルトの頭部側に配置されるシールワッシャを第二の保護ケース部材の外面と密着させることができるとともに、筒状パッキンが第二の保護ケース部材とナットとにより軸方向から挟持される。このように、ボルトとナットによる締結部も２箇所でシールされることになり、雨水などが締結部を介して保護ケース内へ浸入しにくくなり、長期間にわたり高い防水性を得ることができる。
【図面の簡単な説明】
【００１２】
【図１】本発明の実施の形態に係わる保護ケースの防水構造の一部を示す断面図であって、図６におけるＢ部の拡大断面図である。
【図２】本発明の実施の形態に係わる保護ケースの防水構造の一部を示す断面図であって、図５におけるＥ−Ｅ線に沿う拡大断面図である。
【図３】図１における第二の保護ケース部材の部分断面図である。
【図４】図１におけるナットの断面図である。
【図５】図１における組立状態の保護ケースの底面図である。
【図６】本発明の実施の形態に係わる保護ケースの防水構造の一部を示す断面図であって、図５におけるＡ−Ａ線に沿う断面図ある。
【図７】図６の組立状態の保護ケースの全体斜視図である。
【図８】図６の組立状態の保護ケースの分解斜視図である。
【図９】図１における環状のパッキンの全体を示す正面図である。
【図１０】図９のパッキンにおけるＣ部の拡大断面図である。
【図１１】図１０のパッキンの変形例を示す拡大断面図である。
【発明を実施するための形態】
【００１３】
つぎに、この発明の実施の形態について図面を用いて詳しく説明する。
【００１４】
図１ないし図１０は、この発明の実施の形態を示している。図６および図７に示すように、保護ケースとしてのレドーム１は、船舶のマスト６０に取付け可能な構造となっている。レドーム１内には、インマルサット静止衛星から電波を受けるためのアンテナ２と、アンテナ２を保持するアンテナフランジ３が収納されている。アンテナ２によって受信された信号は、図示しないケーブルを介して出力される。
【００１５】
レドーム１は、第一の保護ケース部材としてのレドーム本体１０と、第二の保護ケース部材としてのレドームベース２０を有している。レドーム本体１０は、ＦＲＰ成形にて所定の形状に形成されている。レドーム本体１０は、先端部１０ａ側が半球状に形成されており、後端部１０ｂが筒状に形成されている。
【００１６】
レドーム本体１０における内面１２側には、半径方向内方に膨出するフランジ部１３が形成されている。フランジ部１３は、後述するレドーム本体１０の筒状端部１４の近傍に位置しており、内面１２に沿って周方向に延びている。フランジ部１３には、レドームベース２０との締結を行うための締結用穴１５が複数形成されている。締結用穴１５は、フランジ部１３の周方向に所定の間隔をもって形成されている。フランジ部１３は、レドーム本体１０の内面１２に対してほぼ直角をもって半径方向内方に延びており、先端部１０ａと対向するフランジ内面１３ａは後述するナット３０が接触可能となっている。レドーム本体１０の開口側と対向するフランジ部１３のフランジ外面１３ｂは、レドームベース２０の締結部２１と接触可能となっている。
【００１７】
レドーム本体１０の筒状端部１４は、フランジ部１３とほぼ同様の肉厚を有しており、端面１４ａがレドームベース２０の締結部２１の外面２１ｄとほぼ同じ位置に位置している。筒状端部１４の内周面１４ｂは、フランジ部１３のフランジ外面１３ｂとほぼ直角をなしている。フランジ外面１３ｂおよび内周面１４ｂは、シール面を構成しており、他の部分よりも表面が滑らかに形成されている。フランジ外面１３ｂと内周面１４ｂには、図１０に示すパッキン５０が接触可能となっている。図１に示すように、内周面１４ｂにはパッキン５０の第一の接触部５１が接触可能となっており、フランジ外面１３ｂにはパッキン５０の第二の接触部５２が接触可能となっている。
【００１８】
レドームベース２０は、図６に示すように滑らかにレドーム本体１０側に湾曲した円盤状に形成されている。レドームベース２０は、ＦＲＰ成形にて所定の形状に形成されており、全外面２０ａの寸法および表面粗さが高い精度で仕上げられている。レドームベース２０の外周部には、レドーム本体１０との締結のための締結部２１が形成されている。締結部２１は、レドームベース２０における薄板状のベース部２２ａと一体化されている。薄板状のベース部２２ａは、放射状に配置される複数のリブ２２ｂによって補強されている。図６に示すように、アンテナフランジ３とレドームベース２０の特定のリブ２２ｂとマスト６０の締結フランジ部６０ａには、ボルト２５が挿通されており、ボルト２５の先端部にはナット２６が螺合されている。これにより、アンテナフランジ３は、レドームベース２０と一体化した状態でマスト６０に固定されている。図８に示すように、レドームベース２０には、レドーム本体１０に形成された位置決め穴１７に嵌合可能な位置決めピン２７が設けられている。
【００１９】
図３に示すように、レドームベース２０の外周部に位置する締結部２１には、レドーム本体１０のフランジ部１３が接触可能な締結面２１ａが形成されている。締結部２１の締結面２１ａと反対側は、ボルト４０の頭部４０ｃ側に設けられるシールワッシャ４１が接触可能な締結部外面２１ｂに形成されている。シールワッシャ４１は、ボルト４０の締付けによって締結部外面２１ｂに密着し、ボルト穴２３への雨水などの浸入を防止する機能を有する。締結部２１における外周面２１ｅ側には、パッキン５０を固定するための２つの固定溝２１ｃ、２１ｄが形成されている。一方の固定溝２１ｃは、締結面２１ａ側に形成されており、締結部２１の全周にわたって延びている。他方の固定溝２１ｄは、締結部外面２１ｂ側に形成されており、同様に締結部２１の全周にわたって延びている。一方の固定溝２１ｃは、図１０に示すパッキン５０の上側固定部５３が嵌合する溝であり、他方の固定溝２１ｄはパッキン５０の下側固定部５４が嵌合する溝である。パッキン５０は、上側固定部５３および下固定部５４が各固定溝２１ｃ、２１ｄに嵌合することにより、締結部２１に確実に固定されるようになっている。
【００２０】
締結部２１には、締結面２１ａと締結部外面２１ｂを貫通するボルト穴２３が形成されている。ボルト穴２３の内周面における締結部外面２１ｂ側には、ボルト４０の先端部に位置する雄ネジ４０ａと螺合可能な落下防止用ネジ（雌ネジ）２３ｂが形成されている。ボルト穴２３の内周面には、雌ネジ２３ｂを境として内周面２３ａが形成されている。内周面２３ａは、締結面２１ａ側に位置している。内周面２３ａは、ボルト４０の雄ネジ４０ａの径よりも若干大に形成されている。
【００２１】
図４は、ナット３０の詳細を示している。ナット３０は、外面頂部に保持溝３０ａが形成されている。図２に示すように、保持溝３０ａにはハット状の留金具３２が嵌め込まれている。留金具３２の両端部は、ボルト３３によってレドーム本体１０のフランジ部１３に固定されている。そして、留金具３２を介してナット３０をレドーム本体１０に固定した状態では、ナット３０が微動可能な状態となり、複数のナット３０とボルト４０との位置合わせ（調整）を容易に行えるようになっている。ナット３０の軸部３０ｂには、筒状のパッキン３１が装着可能となっている。筒状パッキン３１は、シリコンゴムから構成されており、一端部に半径方向外方に膨出する鍔部３１ａが形成されている。ナット３０には、筒状パッキン３１の鍔部３１ａを収納する溝３０ｃが形成されている。ナット３０には、ボルト４０の雄ネジ４０ａが螺合可能な雌ネジ３０ｅが形成されている。
【００２２】
図１に示すように、筒状パッキン３１は、鍔部３１ａを除く部位がレドーム本体１０のフランジ部１３に形成された締結用穴１５に挿入可能となっている。筒状パッキン３１がナット３０に装着された状態では、鍔部３１ａの反対側に位置する筒状パッキン３１の先端面は、ナット３０の端面３０ｄよりも若干外方に突出している。筒状パッキン３１は、ナット３０の端面３０ｄから突出する部位がレドームベース２０の締結面２１ａに当接可能なように軸方向の長さが設定されている。これにより、ナット３０とボルト４０とを螺合させ、ナット３０とボルト４０によってレドーム本体１０とレドームベース２０を締結した状態では、筒状パッキン３１の軸方向の端面は、それぞれレドームベース２０とナット３０とに密着するようになっている。
【００２３】
図９および図１０は、レドーム本体１０とレドームベース２０との締結部をシールするパッキン５０を示している。パッキン５０はシリコンゴムから構成されており、半径方向に伸縮可能となっている。パッキン５０は、断面形状が略コ字形に形成されており、端部に上側固定部５３および下固定部５４を有している。また、パッキン５０は、シール機能を発揮する第一の接触部５１と第二の接触部５２を有している。この実施の形態においては、パッキン５０は３つの第一の接触部５１と２つの第二の接触部５２を有している。第一の接触部５１は、パッキン５０の外周面５０ａに形成されており、レドーム１の軸方向に所定の間隔をもって配置されている。各第一の接触部５１は、外周面５０ａから半径方向外方に突出しており、レドーム本体１０の筒状端部１４との接触により、図１０の矢印方向に弾性変形可能となっている。第二の接触部５２は、パッキン５０の上面５０ｂに形成されており、レドーム１の半径方向に所定の間隔をもって配置されている。各第一の接触部５１は、上面５０ｂからに突出しており、レドーム本体１０のフランジ部１３との接触によって弾性変形可能となっている。
【００２４】
つぎに、レドームベース２０に対するレドーム本体１０の取付けおよび取外しの作業手順と作用について説明する。
【００２５】
この実施の形態におけるレドーム本体１０には、アンテナ２を点検するための開閉可能な点検蓋が設けられていないので、アンテナ２の点検の際は、ナット３０と螺合しているボルト４０を緩め、レドームベース２０からドーム本体１０を取外すことが必要となる。レドームベース２０からレドーム本体１０を取外す際は、ボルト４０の雄ネジ４０ａがナット３０の雌ネジ３０ｅから完全に抜け出るまでボルト４０を軸心回りに回転させる。レドーム１の軸心は上下方向を向いているので、ボルト４０の雄ネジ４０ａがナット３０の雌ネジ３０ｅから完全に抜け出た際は、ボルト４０が自重により落下することになるが、雄ネジ４０ａの下方には落下防止用ネジ２３ｂが形成されているので、雄ネジ４０ａが落下防止用ネジ２３ｂに当接し、ボルト４０の抜け落ちを防止することができる。
【００２６】
この実施の形態においては、レドーム１は、船舶のマスト６０の先端部に取付けられているので、アンテナ２の点検は高所作業となるが、ボルト４０の抜け落ちを防止することで、ボルト４０の紛失防止やボルト落下防止による安全性を確保することができる。また、ボルト４０をボルト穴２３から完全に抜取るには、さらにボルト４０を軸心まわりに回転させ、雄ネジ４０ａと落下防止用ネジ２３ｂとの螺合を解除すればよい。
【００２７】
つぎに、すべてのボルト４０についてナット３０との螺合を解除した状態で、レドームベース２０に対してレドーム本体１０を軸方向に引抜くことにより、レドーム本体１０をレドームベース２０から取外すことができる。ここで、ナット３０は留金具３２を介してレドーム本体１０に固定されているので、レドーム本体１０の取外しに伴ってナット３０がレドーム本体１０から離脱するのを防止することができる。また、筒状パッキン３１の鍔部３１ａは、レドーム本体１０のフランジ部１３とナット３０によって挟持されているので、筒状パッキン３１もレドーム本体１０とともに取外される。
【００２８】
アンテナ２の点検が完了すると、レドーム本体１０はレドームベース２０に再び取付けられる。レドーム本体１０をレドームベース２０に取付ける際には、環状のパッキン５０の第一の接触部５１にレドーム本体１０の筒状端部１４が当接し、第一の接触部５１は図１に示すように弾性変形した状態で筒状端部１４の内周面１４ｂに接触する。また、環状のパッキン５０の第二の接触部５２は、レドーム本体１０のフランジ部１３のフランジ外面１３ｂに当接し、図１に示すように第二の接触部５２は平坦状に弾性変形した状態でフランジ外面１３ｂに接触する。この状態で、ボルト４０を軸心回りに回転させ、ボルト４０の雄ネジ４０ａをナット３０の雌ネジ３０ｅに螺合させる。
【００２９】
ボルト４０をナット３０の雌ネジ３０ｅに完全に螺合させた状態では、ボルト４０の頭部側に位置するシールワッシャ４１が締結部外面２１ｂに密着し、ボルト４０とレドームベース２０との隙間がシールされる。この状態では、筒状パッキン３１の軸方向の端部がレドームベース２０の締結面２１ａとナット３０の溝３０ｃに密着する。したがって、例えばシールワッシャ４１と締結部外面２１ｂとの隙間を介してボルト穴２３に水が浸入したとしても、筒状パッキン３１のシール効果によってレドーム１内に水が浸入するのを確実に防止できる。
【００３０】
このように、この実施の形態においては、レドーム本体１０に点検口が設けられていないので、アンテナ２の点検の際にはレドームベース２０からレドーム本体１０を取外すことが必要となるが、ボルト４０が位置する部位には筒状パッキン３１を配置し、パッキン５０には第一の接触部５１と第二の接触部５２という２つのシール部を設けているので、繰り返しレドーム本体１０を取外しても、高い防水効果を長期間にわたって維持することが可能となり、レドーム１内への水の浸入を確実に防止することができる。
【００３１】
以上、この発明の実施の形態を詳述してきたが、具体的な構成は上記の実施の形態に限られるものではなく、この発明の要旨を逸脱しない範囲の設計の変更等があっても、この発明に含まれる。例えば、レドームベース２０に固定されるパッキン５０の第一の接触部５１に代えて、図１１に示す湾曲接触部５５を形成し、湾曲接触部５５の自由端５５ａを筒状端部１４の内周面１４ｂに接触させる構成としてもよい。また、この発明の保護ケースは、レドーム１に限定されるものではなく、アンテナ２以外の通信機器類を保護する筐体も含む概念であり、アンテナ以外の種々の分野で適用することができる。さらに、この実施の形態においては、パッキン５０をレドームベース２０に固定する場合を説明したが、パッキン５０をレドーム本体１０に固定し、第一の接触部５１と第二の接触部５２をレドームベース２０側と接触させる構成としてもよい。
【符号の説明】
【００３２】
１              レドーム（保護ケース）
２              アンテナ
３              アンテナフランジ
１０            レドーム本体（第一の保護ケース部材）
１４            筒状端部
１４ｂ          内周面
１５            締結用穴
２０            レドームベース（第二の保護ケース部材）
２１            締結部
２１ａ          締結面
２３            ボルト穴
３０            ナット
３１            筒状パッキン
４０            ボルト
４１            シールワッシャ
５０            環状のパッキン
【図１】
2010278736.tif 000003
【図２】
2010278736.tif 000004
【図３】
2010278736.tif 000005
【図４】
2010278736.tif 000006
【図５】
2010278736.tif 000007
【図６】
2010278736.tif 000008
【図７】
2010278736.tif 000009
【図８】
2010278736.tif 000010
【図９】
2010278736.tif 000011
【図１０】
2010278736.tif 000012
【図１１】
2010278736.tif 000013